(57)【要約】      （修正有）【課題】コンパクトな構造にでき、地震時や製品の落下や倒れなどによる火災や人命の保護対策を図ることができるテレビジョンの耐震構造及び電化製品の耐震構造を提供する。【解決手段】テレビジョン本体１が地震などにより倒れた際に傾きセンサー３でこの倒れが検知され、モータードライバー７を介してモーター６が駆動してギヤ４、５を介して枢軸２ａが回動されて突っ張り部材２が外側斜め方向に突出されてこの突っ張り部材２でテレビジョン本体１の傾きを支え、更なる傾きに対してはスイッチ１０がオンされてエアボンベ９が駆動されてエアバッグ８がテレビジョン本体１の外側に膨張して、このエアバッグ８によりテレビジョン本体１の倒れを緩和するように構成した。【選択図】図２
2007274302.tif 000002
【特許請求の範囲】
【請求項１】
テレビジョンが地震などにより落下や倒れた際に、人などを傷つけないようにしたテレビジョンの耐震構造において、テレビジョン本体の裏面側に、左右一対の縦長の開口部が開設されており、この開口部に突っ張り部材が配設されると共にその上端が枢着され、前記テレビジョン本体の底部に設けられた傾きセンサーと、前記突っ張り部材の上端に設けられた枢軸をギヤを介して外向きに回動して前記突っ張り部材を斜め外向きに開くようにするためのモーターとがモータードライバを介して配線され、更に、前記テレビジョン本体の上部側略中央部に形成された開口部にエアバックが収納されており、このエアバックを膨張させるためのエアボンベと前記傾きセンサーとがスイッチを介して配線されており、テレビジョン本体が地震などにより倒れた際に前記傾きセンサーでこの倒れが検知され、前記モータードライバーを介して前記モーターが駆動してギヤを介して前記枢軸が回動されて前記突っ張り部材が外側斜め方向に突出されてこの突っ張り部材で前記テレビジョン本体の傾きを支え、更なる傾きに対しては前記スイッチがオンされて前記エアボンベが駆動されて前記エアバッグがテレビジョン本体の外側に膨張して、このエアバッグにより前記テレビジョン本体の倒れを緩和するように構成したことを特徴とするテレビジョンの耐震構造。
【請求項２】
電化製品が地震などにより落下や倒れた際に、人などを傷つけないようにした電化製品の耐震構造において、製品本体の底部に傾きセンサーが配置され、この傾きセンサーによる前記電化製品の傾きを検知した際に、斜め外向きに突出して前記電化製品の傾きを支える突っ張り部材が前記製品本体に枢支され、更に、前記製品本体の上側にエアバッグが配置され、前記製品本体が倒れる際に前記エアバッグが膨張されて前記製品本体の倒れを緩和するように構成したことを特徴とする電化製品の耐震構造。
【請求項３】
前記突っ張り部材の下端部に略コ字形のフックが横向きに設けられると共に、前記傾きセンサーによる傾きを検知した際に回動するモーターが前記製品本体内に配置され、前記モーターの軸部が略コ字形に形成されて、この略コ字形の軸部が前記突っ張り部材のフックに係合されており、前記突っ張り部材の枢軸に前記突っ張り部材を外向きに付勢するスプリングが配設されていて、前期傾きセンサーの傾き検知によって前記モーターが回動されて前記軸部が回動することにより、この軸部と前記フックとの係合が解除されて前記突っ張り部材が前記スプリングの付勢力によって外側斜め向きに突出して、この突っ張り部材によって前記製品本体の倒れを防止するようにした請求項２に記載の電化製品の耐震構造。
【発明の詳細な説明】
【技術分野】
【０００１】
本発明は、本体が地震などにより落下や倒れた際に、人などを傷つけないようにしたテレビジョンの耐震構造及び電化製品の耐震構造に関するものである。
【背景技術】
【０００２】
第１の従来技術を図４に示す。この従来の筐体の保護装置は、図４に示すように、筐体１０１の下部にキャスタ１０５と、アジャスターフット１０６と、震度計１０７、傾斜計１０８、高圧ガスボンベ１０９及び震度計１０７、傾斜計１０８からの信号で高圧ガスボンベ１０９のバルブを開閉制御する制御器１１０よりなる震度検知ユニット１０３と、高圧ガスボンベ１０９と連結され、震度計１０７が設定震度以上の震度を検知したとき、高圧ガスの供給を受けてアジャスターフット１０６を解除すると共に、傾斜計１０８が設定角度以上の傾斜を検知したとき、エアバック１１３に対して高圧ガスボンベ１０９からの高圧ガスを供給するレリーサユニット１０４とを設置すると共に、筐体１０１の外周面にレリーサユニット１０４を介して供給される高圧ガスによって膨張するエアバック１１３を設置してなるものである。（例えば、特許文献１参照）。
【０００３】
ところが、これにおいては、筐体１０１が据え置きのものではないから、キャスタ１０５やアジャスターフット１０６を必要とすることにより、部品点数が多いという問題があった。
【０００４】
第２の従来技術を図５（ａ）（ｂ）に示す。この従来の感震式エアーバッグ装置は、図５（ａ）（ｂ）に示すように、外箱２０１の内部にスライド自在に設けられ傾きによって外箱２０１から少なくとも一部が突出する内箱２０５を設け、この内箱２０５の内部に収縮状態に収納されたエアーバッグ２０９と、外箱２０１の内部に設けられエアバッグ２０９とチューブ２１４および電磁弁２１３を介して接続され、電磁弁２１３の開弁時にエアーバッグ２０９にエアーを供給して瞬時に膨張させたエアーボンベ２１１と、外箱２０１の内部に設けられ地震を感知したとき電磁弁２１３を開弁させる感震器２１０を設けたものである。（例えば、特許文献２参照）。
【０００５】
ところが、これにおいては、エアーボンベ２１１とエアーバッグ２０９などを有する外箱２０１と内箱２０５が機器とは別体になっており、機器に取り付けて使用するものであった。従って、取り付けに手間がかかるという問題があった。
【０００６】
第３の従来技術を図６に示す。この従来のテレビジョン受信機は、図６に示すように、接続状態又は切断状態に制御されて電源供給回路３０３へ電力を供給し遮断するリレースイッチ３０２が電源プラグ３０１と電源供給回路３０３との間に挿入されている。さらに、動作電力を供給する充電式電源３１０と、入力に応じてリレースイッチ３０２を接続状態又は切断状態に制御をする主電源スイッチ３０５と、充電式電源３１０から電源供給を受けて動作し、筐体の落下や傾きを検知したときにはリレースイッチ３０２を切断状態に制御する検知回路３０６とをさらに備えている。（例えば、特許文献３参照）。
【０００７】
ところが、これにおいては、回路の数が多く配線が複雑であるという問題があった。
【０００８】
第４の従来技術を図７に示す。この従来の耐震用部材付き画像形成装置は、図７に示すように、画像形成装置４０１の所定距離範囲の周囲に、床上に固定された骨組み材４１０と、耐震用緩衝部材としての各マット４０８、４０９を配設すると共に、画像形成装置４０１には、地震発生時にＧセンサにより作動するゴムパッド付きの上下移動式アジャスタや、キャスタストツパ等を付設した。（例えば、特許文献４参照）。
【０００９】
ところが、これにおいては、骨組み材４１０やマット４０９が大きくてスペースを大きくとりすぎるという問題があった。
【００１０】
第５の従来技術を図８に示す。この従来の耐震機構は、図８に示すように、スタンドタイプの物品の耐震機構に係わり、たとえば構造物（大型テレビ）５０１の下部の一部の一体化した固定部と、その固定部と回転可能に係合した回転物体５０２とからなり、モータ５０６などにより回転する回転物体５０２の回転中に発生する遠心力より発生する姿勢抑制力を利用し、スタンドタイプの構造物５０１の倒れるのを極力防止するものである。（例えば、特許文献５参照）。
【００１１】
ところが、これにおいては、回転物体５０２が回転するので、不安定であり、確実に構造物の倒れを防止できないという問題があった。
【特許文献１】特開平９−１９１９６５号公報
【特許文献２】実用新案登録第３０１７５１５号公報
【特許文献３】特開２０００−５０１８４号公報
【特許文献４】特開平１０−２５４２０７号公報
【特許文献５】実用新案登録第３０１９９００号公報
【発明の開示】
【発明が解決しようとする課題】
【００１２】
本発明は、上記従来の問題に鑑みてなされたものであり、コンパクトな構造にすることができ、地震時や製品の落下や倒れなどによる火災や人命の保護対策を図ることができるテレビジョンの耐震構造及び電化製品の耐震構造を提供することを目的としている。
【課題を解決するための手段】
【００１３】
本発明は、上記課題を解決するために提案されたものであって、請求項１に記載の発明は、テレビジョンが地震などにより落下や倒れた際に、人などを傷つけないようにしたテレビジョンの耐震構造において、テレビジョン本体の裏面側に、左右一対の縦長の開口部が開設されており、この開口部に突っ張り部材が配設されると共にその上端が枢着され、前記テレビジョン本体の底部に設けられた傾きセンサーと、前記突っ張り部材の上端に設けられた枢軸をギヤを介して外向きに回動して前記突っ張り部材を斜め外向きに開くようにするためのモーターとがモータードライバを介して配線され、更に、前記テレビジョン本体の上部側略中央部に形成された開口部にエアバックが収納されており、このエアバックを膨張させるためのエアボンベと前記傾きセンサーとがスイッチを介して配線されており、テレビジョン本体が地震などにより倒れた際に前記傾きセンサーでこの倒れが検知され、前記モータードライバーを介して前記モーターが駆動してギヤを介して前記枢軸が回動されて前記突っ張り部材が外側斜め方向に突出されてこの突っ張り部材で前記テレビジョン本体の傾きを支え、更なる傾きに対しては前記スイッチがオンされて前記エアボンベが駆動されて前記エアバッグがテレビジョン本体の外側に膨張して、このエアバッグにより前記テレビジョン本体の倒れを緩和するように構成したことを特徴としている。
【００１４】
請求項２に記載の発明は、電化製品が地震などにより落下や倒れた際に、人などを傷つけないようにした電化製品の耐震構造において、製品本体の底部に傾きセンサーが配置され、この傾きセンサーによる前記電化製品の傾きを検知した際に、斜め外向きに突出して前記電化製品の傾きを支える突っ張り部材が前記製品本体に枢支され、更に、前記製品本体の上側にエアバッグが配置され、前記製品本体が倒れる際に前記エアバッグが膨張されて前記製品本体の倒れを緩和するように構成したことを特徴としている。
【００１５】
請求項３に記載の発明は、請求項２に記載の発明において、前記突っ張り部材の下端部に略コ字形のフックが横向きに設けられると共に、前記傾きセンサーによる傾きを検知した際に回動するモーターが前記製品本体内に配置され、前記モーターの軸部が略コ字形に形成されて、この略コ字形の軸部が前記突っ張り部材のフックに係合されており、前記突っ張り部材の枢軸に前記突っ張り部材を外向きに付勢するスプリングが配設されていて、前期傾きセンサーの傾き検知によって前記モーターが回動されて前記軸部が回動することにより、この軸部と前記フックとの係合が解除されて前記突っ張り部材が前記スプリングの付勢力によって外側斜め向きに突出して、この突っ張り部材によって前記製品本体の倒れを防止するようにした。
【発明の効果】
【００１６】
請求項１に記載の発明によれば、テレビジョン本体が地震などにより傾くと、傾きセンサーがこの傾きを検知して突っ張り部材がモーターの駆動により外側斜め向きに突出されてこの突っ張り部材でテレビジョン本体を支持して倒れを防止できる。また、更なる傾きでは、エアバッグが膨張してテレビジョン本体の倒れを緩和できる。従って、コンパクトな構造にすることができ、地震時や製品の落下や倒れなどによる火災や人命の保護対策を図ることができる。
【００１７】
請求項２に記載の発明によれば、製品本体が地震などにより傾くと、傾きセンサーがこの傾きを検知して突っ張り部材が外側斜め向きに突出されてこの突っ張り部材で製品本体を支持して倒れを防止できる。また、更なる傾きでは、エアバッグが膨張して製品本体の倒れを緩和できる。従って、コンパクトな構造にすることができ、地震時や製品の落下や倒れなどによる火災や人命の保護対策を図ることができる。
【００１８】
請求項３に記載の発明によれば、製品本体が地震などで傾くとモーターが回動してこのモーターの略コ字形の軸部が回転し、突っ張り部材の下端部のフックから外れて突っ張り部材がスプリングの付勢力で外側斜め向きに突出して、この突っ張り部材で製品本体の倒れを防止できる。従って、構造を簡単化することができて、製品本体の倒れを確実に防止することができる。
【発明を実施するための最良の形態】
【００１９】
以下、本発明に係るテレビジョンの耐震構造及び電化製品の耐震構造の実施の形態について、図を参照しつつ説明する。
【００２０】
図１は本発明に係るテレビジョンの耐震構造を示し、（ａ）は第１の耐震構造を示す側面図、（ｂ）は第２の耐震構造を示す側面図、（ｃ）はテレビジョンの背面図である。
【００２１】
本実施形態のテレビジョンの耐震構造は、図１（ａ）（ｂ）（ｃ）に示すように、テレビジョン本体１の裏面側に、左右一対の縦長の開口部１ａ、１ａが開設されており、この開口部１ａ、１ａに突っ張り部材２、２が配設されると共にその上端が枢着され、テレビジョン本体１の底部に設けられた傾きセンサー３と、突っ張り部材２、２の上端に設けられた枢軸２ａをギヤ４、５を介して外向きに回動して突っ張り部材２を斜め外向きに開くようにするためのモーター６とがモータードライバ７を介して配線されている。更に、テレビジョン本体１の上部側略中央部に形成された開口部１ｂにエアバッグ８が収納されており、このエアバッグ８を膨張させるためのエアボンベ９と傾きセンサー３とがスイッチ１０を介して配線されている。
【００２２】
図２はテレビジョン本体が倒れる際の耐震構造の作動状態を示し、（ａ）はその第１の耐震構造による耐震状態を示す側面図、（ｂ）は第２の耐震構造による耐震状態を示す側面図である。
【００２３】
図２（ａ）に示すように、テレビジョン本体１が地震などにより倒れた際に傾きセンサー３でこの倒れが検知され、モータードライバ７を介してモーター６が駆動してギヤ４、５を介して枢軸２ａが回動されて突っ張り部材２が外側斜め方向に突出されてこの突っ張り部材２でテレビジョン本体１の傾きを支えられる。図２（ｂ）に示すように、更なる傾きに対してはスイッチ１０がオンされてエアボンベ９が駆動されてエアバッグ８がテレビジョン本体１の外側に膨張して、このエアバッグ８によりテレビジョン本体１の倒れを緩和する。
【００２４】
従って、本実施形態によれば、テレビジョン本体１が地震などにより傾くと、傾きセンサー３がこの傾きを検知して突っ張り部材２がモーター６の駆動により外側斜め向きに突出されてこの突っ張り部材６でテレビジョン本体１を支持して倒れを防止できる。また、更なる傾きでは、エアバッグ８が膨張してテレビジョン本体１の倒れを緩和できる。従って、コンパクトな構造にすることができ、地震時や製品の落下や倒れなどによる火災や人命の保護対策を図ることができる。
【００２５】
図３は別例のテレビジョンの耐震構造を示す側面図である。
【００２６】
この別例のテレビジョンの耐震構造は、図３に示すように、テレビジョン本体１の開口部１ａに配設された突っ張り部材２の下端部に略コ字形のフック１１が横向きに設けられると共に、傾きセンサー３による傾きを検知した際に回動するモーター６がテレビジョン本体１内に配置され、モーター６の軸部６ａが略コ字形に形成されて、この略コ字形の軸部６ａが突っ張り部材２のフック１１に係合されており、突っ張り部材２の枢軸２ａに突っ張り部材２を外向きに付勢するスプリング１２が配設されている。傾きセンサー３の傾き検知によってモーター６が回動されて軸部６ａが回動することにより、この軸部６ａとフック１１との係合が解除されて突っ張り部材２がスプリング１２の付勢力によって外側斜め向きに突出して、この突っ張り部材２によってテレビジョン本体１の倒れを防止するようにした。
【００２７】
従って、この別例のテレビジョンの耐震構造によれば、テレビジョン本体１が地震などで傾くとモーター６が回動してこのモーター６の略コ字形の軸部６ａが回転し、突っ張り部材２の下端部のフック１１から外れて突っ張り部材２がスプリング１２の付勢力で外側斜め向きに突出して、この突っ張り部材２でテレビジョン本体１の倒れを防止できる。従って、構造を簡単化することができて、製品本体の倒れを確実に防止することができる。
【００２８】
尚、上記した実施形態では、テレビジョンについて説明したが、他の電化製品も適用できることは勿論である。
【図面の簡単な説明】
【００２９】
【図１】本発明に係るテレビジョンの耐震構造を示し、（ａ）は第１の耐震構造を示す側面図、（ｂ）は第２の耐震構造を示す側面図、（ｃ）はテレビジョンの背面図である。
【図２】テレビジョン本体が倒れる際の耐震構造の作動状態を示し、（ａ）はその第１の耐震構造による耐震状態を示す側面図、（ｂ）は第２の耐震構造による耐震状態を示す側面図である。
【図３】別例のテレビジョンの耐震構造を示す側面図である。
【図４】従来の筐体の保護装置を示す構成図である。
【図５】従来の感震式エアーバッグ装置を示し、（ａ）はその縦断側面図、（ｂ）は同装置を家具に取り付けた状態の側面図である。
【図６】従来の防災機能付きテレビジョン受信機を説明するためのブロック図である。
【図７】従来の耐震用部材付き画像形成装置の斜視図である。
【図８】従来の耐震機構の斜視図である。
【符号の説明】
【００３０】
１        テレビジョン本体
１ａ      開口部
１ｂ      開口部
２        突っ張り部材
２ａ      枢軸
３        傾きセンサー
４        ギヤ
５        ギヤ
６        モーター
６ａ      軸部
７        モータードライバ
８        エアバッグ
９        エアボンベ
１０      スイッチ
１１      フック
１２      スプリング
【図１】
2007274302.tif 000003
【図２】
2007274302.tif 000004
【図３】
2007274302.tif 000005
【図４】
2007274302.tif 000006
【図５】
2007274302.tif 000007
【図６】
2007274302.tif 000008
【図７】
2007274302.tif 000009
【図８】
2007274302.tif 000010